(57)【要約】【課題】携帯電話機の使用状態によらず一定の音質の着信メロディを出力することができる携帯電話機を提供する。【解決手段】ＲＯＭ１は、複数のメロディデータを記憶する。音源２は、複数のメロディデータを読み込んでメロディ信号を形成する。イコライザ３は、メロディ信号の周波数特性を調節する。Ｄ／Ａコンバータ４は、メロディ信号をアナログ信号に変換する。アンプ５は、アナログ信号を増幅する。スピーカ６は、アナログのメロディ信号を出力する。ＣＰＵ７は、着信信号を検出すると着信信号により指定するメロディデータをＲＯＭ１から読み出して音源２に出力し、開状態／閉状態の検出結果に基づく周波数特性情報をイコライザ３に通知するなど、各種制御を行う。操作部８は、使用者がキー操作を行う。開閉検出部９は、開状態／閉状態を検出する。【選択図】      図１
2004328343.tif 000002
【特許請求の範囲】
【請求項１】
複数のメロディデータを記憶する記憶手段と、前記複数のメロディデータを読み込んでメロディ信号を形成する音源手段と、前記メロディ信号を出力する出力手段とを備える折り畳み型の携帯電話機であって、前記携帯電話機の使用状態に応じて出力する前記メロディ信号の周波数特性を調節するイコライザ手段を備えたことを特徴とする携帯電話機。
【請求項２】
複数のメロディデータを記憶する記憶手段と、前記複数のメロディデータを読み込んでメロディ信号を形成する音源手段と、前記メロディ信号を出力する出力手段とを備える折り畳み型の携帯電話機であって、前記携帯電話機を構成する２つの筐体の開状態または閉状態のいずれかに応じて、出力する前記メロディ信号の周波数特性を調節するイコライザ手段を備えたことを特徴とする携帯電話機。
【請求項３】
複数のメロディデータを記憶する記憶手段と、前記複数のメロディデータを読み込んでメロディ信号を形成する音源手段と、前記メロディ信号を出力する出力手段とを備える折り畳み型の携帯電話機であって、前記出力手段としてイヤホンジャックの装着の有無に応じて前記メロディ信号の周波数特性を調節するイコライザ手段を備えたことを特徴とする携帯電話機。
【請求項４】
前記メロディ信号は、着信があった場合に前記出力手段から出力されることを特徴とする請求項１、２又は３記載の携帯電話機。
【請求項５】
複数のメロディデータを記憶する記憶手段と、前記複数のメロディデータを読み込んでメロディ信号を形成する音源手段と、前記メロディ信号の周波数特性を調節するイコライザ手段と、前記メロディ信号をアナログ信号に変換する手段と、アナログ信号に変換されたメロディ信号を増幅する手段と、増幅された信号を出力する出力手段とを有する折り畳み型の携帯電話機であって、前記携帯電話機の使用状態に応じたメロディデータを前記記憶手段から読み出して前記音源手段に出力するとともに、前記使用状態に応じた周波数特性情報を前記イコライザ手段に通知するＣＰＵ（中央処理装置）を備えることを特徴とする携帯電話機。
【請求項６】
前記使用状態は、前記携帯電話機を構成する２つの筐体の開状態または閉状態のいずれかの検出結果であることを特徴とする請求項５記載の携帯電話機。
【請求項７】
前記使用状態は、前記出力手段がイヤホンジャック装着の検出に基づいて選択されるスピーカまたはイヤホンであることを特徴とする請求項５記載の携帯電話機。
【請求項８】
前記記憶手段は、前記携帯電話機の開状態または閉状態に適したメロディデータを記憶していることを特徴とする請求項５又は６記載の携帯電話機。
【請求項９】
前記記憶手段は、前記出力手段がスピーカまたはイヤホンに適したメロディデータを記憶していることを特徴とする請求項５又は７記載の携帯電話機。
【請求項１０】
前記ＣＰＵは、使用者が情報を入力する操作部、前記携帯電話機の開状態または閉状態を検出する開閉検出部およびイヤホンジャックの装着を検出するイヤホン検出部からの情報に基づいて、前記使用状態に応じたメロディデータを前記記憶手段から読み出して前記音源手段に出力するとともに、前記使用状態に応じた周波数特性情報を前記イコライザ手段に通知することを特徴とする請求項５、６、７、８又は９記載の携帯電話機。
【請求項１１】
前記周波数特性情報は、前記使用状態に対応して予め前記ＣＰＵまたは前記イコライザ手段に用意され、または、使用者が前記操作部より入力されることを特徴とする請求項５又は１０記載の携帯電話機。
【請求項１２】
前記メロディ信号は、着信があった場合に前記出力手段から出力されることを特徴とする請求項５記載の携帯電話機。
【発明の詳細な説明】
【０００１】
【発明の属する技術分野】
本発明は携帯電話機に関し、特に携帯電話機の使用状態によらず一定の音質の着信メロディを出力することができる携帯電話機に関する。
【０００２】
【従来の技術】
携帯電話機の普及に伴って、携帯電話機の機能の多様化が進んでいる。従来の呼び出し音やアラーム音のほかに、ダウンロードしたメロディーを種々の機能と組み合わせてスピーカより出力することにより、音そのものを楽しむことも一般的になっている。
【０００３】
従来のこの種の携帯電話機としては、大口径スピーカと小口径スピーカとを備え、各スピーカに帯域フィルタを付加し、大口径スピーカには電話音声帯域、小口径スピーカには電話音声帯域より高域音声が出力されるように、フィルタ特性を設定することにより、帯域フィルターを経由した受話音声を大口径スピーカからのみ再生することで十分な音量を確保して高調波歪を抑制し、メロディー発音時には、両スピーカを使用して発音することとしている。これにより、広帯域なメロディー再生を実現するとともに、広帯域なスピーカを使うよりスピーカが占有する体積を小さくできるため、携帯機器などには必要な小型化に効果があるとしている（例えば、特許文献１参照。）。
【０００４】
しかしながら、この従来の携帯電話機は、機能の多様化と小型化とを両立するような場合に、大口径スピーカを備えることは好ましいとは言えない。
【０００５】
また、メロディー再生音を外部に放出するスピーカ音孔部が、携帯電話機のキー操作部背面側に設けられることが多いため、携帯電話機の２つの筐体が開いた状態と閉じた状態とでメロディを出力する時のスピーカ音孔部の方向が使用者側あるいは使用者側と反対側となる場合に、一定の音圧や音質が得られないという問題がある。
【０００６】
【特許文献１】
特開２００３−１８２４２
【０００７】
【発明が解決しようとする課題】
上述した従来の携帯電話機は、携帯電話機の２つの筐体が開いた状態と閉じた状態とで一定の音圧や音質が得られないという欠点がある。
【０００８】
本発明の目的は、このような従来の欠点を除去するため、携帯電話機が開いた状態か閉じた状態かに応じて、出力するメロディ信号の周波数特性を調節するイコライザ手段を備えることにより、一定の音圧や音質を得ることができる携帯電話機を提供することにある。
【０００９】
【課題を解決するための手段】
本発明の携帯電話機は、複数のメロディデータを記憶する記憶手段と、前記複数のメロディデータを読み込んでメロディ信号を形成する音源手段と、前記メロディ信号を出力する出力手段とを備える折り畳み型の携帯電話機であって、前記携帯電話機の使用状態に応じて出力する前記メロディ信号の周波数特性を調節するイコライザ手段を備えたことを特徴としている。
【００１０】
また、本発明の携帯電話機は、複数のメロディデータを記憶する記憶手段と、前記複数のメロディデータを読み込んでメロディ信号を形成する音源手段と、前記メロディ信号を出力する出力手段とを備える折り畳み型の携帯電話機であって、前記携帯電話機を構成する２つの筐体の開状態または閉状態のいずれかに応じて、出力する前記メロディ信号の周波数特性を調節するイコライザ手段を備えたことを特徴としている。
【００１１】
また、本発明の携帯電話機は、複数のメロディデータを記憶する記憶手段と、前記複数のメロディデータを読み込んでメロディ信号を形成する音源手段と、前記メロディ信号を出力する出力手段とを備える折り畳み型の携帯電話機であって、前記出力手段としてイヤホンジャックの装着の有無に応じて前記メロディ信号の周波数特性を調節するイコライザ手段を備えたことを特徴としている。
【００１２】
また、前記メロディ信号は、着信があった場合に前記出力手段から出力されることを特徴としている。
【００１３】
また、本発明の携帯電話機は、複数のメロディデータを記憶する記憶手段と、前記複数のメロディデータを読み込んでメロディ信号を形成する音源手段と、前記メロディ信号の周波数特性を調節するイコライザ手段と、前記メロディ信号をアナログ信号に変換する手段と、アナログ信号に変換されたメロディ信号を増幅する手段と、増幅された信号を出力する出力手段とを有する折り畳み型の携帯電話機であって、前記携帯電話機の使用状態に応じたメロディデータを前記記憶手段から読み出して前記音源手段に出力するとともに、前記使用状態に応じた周波数特性情報を前記イコライザ手段に通知するＣＰＵ（中央処理装置）を備えることを特徴としている。
【００１４】
また、前記使用状態は、前記携帯電話機を構成する２つの筐体の開状態または閉状態のいずれかの検出結果であることを特徴としている。
【００１５】
また、前記使用状態は、前記出力手段がイヤホンジャック装着の検出に基づいて選択されるスピーカまたはイヤホンであることを特徴としている。
【００１６】
また、前記記憶手段は、前記携帯電話機の開状態または閉状態に適したメロディデータを記憶していることを特徴としている。
【００１７】
また、前記記憶手段は、前記出力手段がスピーカまたはイヤホンに適したメロディデータを記憶していることを特徴としている。
【００１８】
また、前記ＣＰＵは、使用者が情報を入力する操作部、前記携帯電話機の開状態または閉状態を検出する開閉検出部およびイヤホンジャックの装着を検出するイヤホン検出部からの情報に基づいて、前記使用状態に応じたメロディデータを前記記憶手段から読み出して前記音源手段に出力するとともに、前記使用状態に応じた周波数特性情報を前記イコライザ手段に通知することを特徴としている。
【００１９】
また、前記周波数特性情報は、前記使用状態に対応して予め前記ＣＰＵまたは前記イコライザ手段に用意され、または、使用者が前記操作部より入力されることを特徴としている。
【００２０】
また、前記メロディ信号は、着信があった場合に前記出力手段から出力されることを特徴としている。
【００２１】
【発明の実施の形態】
次に、本発明の実施の形態について図面を参照して説明する。図１は、本発明の携帯電話機の一つの実施の形態を示すブロック図である。
【００２２】
図１に示す本実施の形態は、複数のメロディデータを記憶するＲＯＭ１と、複数のメロディデータを読み込んでメロディ信号を形成する音源２と、メロディ信号の周波数特性を調節するイコライザ３と、メロディ信号をアナログ信号に変換するＤ／Ａコンバータ４と、アナログ信号を増幅するアンプ５と、アナログのメロディ信号を出力するスピーカ６と、各種制御を行うＣＰＵ（中央処理装置）７と、使用者がキー操作により情報を入力する操作部８と、開状態または閉状態を検出する開閉検出部９とより構成されている。
【００２３】
次に、本実施の形態の携帯電話機の動作を図１を参照して詳細に説明する。
【００２４】
図１を参照すると、ＲＯＭ１は、着信メロディ音として出力するメロディのデジタルデータが複数記憶され、ＣＰＵ７からの制御信号に従って出力する。
【００２５】
音源２は、ＣＰＵ７からの制御信号に従って、ＲＯＭ１に記憶されているメロディデータを読み込み、メロディ信号を形成し出力する。
【００２６】
イコライザ３は、ＣＰＵ７から通知される周波数特性情報に基づいて、メロディ信号の周波数特性を調節する。
【００２７】
Ｄ／Ａコンバータ４は、デジタルのメロディ信号をアナログに変換する。
【００２８】
アンプ５は、メロディ信号の電圧レベルの増減を行う。
【００２９】
スピーカ６は、増幅されたメロディ信号を出力する。
【００３０】
ＣＰＵ７は、携帯電話機の各種制御を行い、ＲＯＭ１、音源２、イコライザ３、操作部８および開閉検出部９のそれぞれに接続されている。
【００３１】
操作部８は、使用者が操作を行うためのキー入力部などを備える。
【００３２】
開閉検出部９は、折り畳み携帯電話機が開いている状態か閉じている状態かの検出を行う。
【００３３】
次に、着信メロディー出力時の動作について説明する。
【００３４】
ＣＰＵ７は、図示しない基地局より携帯電話機の呼出しが行われたとき着信信号を検出する。着信信号を検出すると、着信信号により指定するメロディデータをＲＯＭ１から読み出して音源２に出力する。
【００３５】
音源２は、ＲＯＭ１から読み出されたメロディデータより、メロディ信号を形成して出力する。
【００３６】
ＣＰＵ７は、携帯電話機が開状態か閉状態かを開閉検出部９に問い合わせ、開状態／閉状態の検出結果に基づく周波数特性情報をイコライザ３に通知する。
【００３７】
イコライザ３は、メロディ信号を入力し、ＣＰＵ７から通知された周波数特性情報に従って、周波数特性の調節を行う。
【００３８】
Ｄ／Ａコンバータは、調節されたメロディ信号をアナログ信号に変換する。
【００３９】
アンプ５は、アナログ信号を所要のレベルにまで増幅する。
【００４０】
スピーカ６は、アナログのメロディ信号を出力する。
【００４１】
ここで、スピーカ６より出力されるメロディ信号は、予めＲＯＭ１に少なくとも開状態および閉状態の２種類のメロディデータを記憶すること、２種類の一方をＲＯＭ１に記憶し、他の使用状態に対応する周波数特性情報をＣＰＵ７またはイコライザ３に予め用意すること、あるいは２種類の一方をＲＯＭ１に記憶した上で使用者が状況に応じて任意に操作部８から入力したパラメータをＣＰＵ７またはイコライザ３に周波数特性情報として保存すること、により使用状態に応じて求めることができる。このようにして、携帯電話機が開いた状態でも閉じた状態でも同じ音質の着信メロディの出力を行う。
【００４２】
次に、携帯電話機の使用状態の相違による音質について図２および図３を参照して説明する。図２はスピーカがキー操作部を有する筐体裏面に実装されている場合を示す図であり、図３は開状態／閉状態の違いによる周波数特性を示す図である。
【００４３】
携帯電話機を閉じた状態（閉状態）では、図２に示すように、スピーカ６の音孔が受聴者（使用者）側を向くため、十分な音圧で音質の良好なメロディを聴くことができる。一方、携帯電話機を開いた状態（開状態）では、スピーカの音孔が受聴者に対して反対側を向くために、図３の周波数特性に示すように、携帯電話機の閉状態に比べて音圧が小さくなり、メロディの音質も劣化する。また、低域の周波数に比べて、高域の周波数では音圧の劣化程度が大きくなっていることがわかる。
【００４４】
次に、各周波数において、スピーカの向きを変えた場合の音圧レベルの変化を図４〜図７を参照して説明する。図４〜図７は、それぞれ周波数５００Ｈｚ、１ＫＨｚ、３ＫＨｚおよび６ＫＨｚにおいて、スピーカ音孔の向きに対する音圧の変化を示す図である。ここで、スピーカ音孔の向きは正面を０度とし、音圧はスピーカから３０ｃｍ離れた位置を測定点としている。
【００４５】
図４〜図７によると、低域の周波数では、指向特性がスピーカ音孔の向きにより大きく変化しないが、スピーカ音孔の反対側（１８０度方向）では、周波数が高くなるに従って、指向特性が大きく変化している。
【００４６】
このとき、イコライザ３は、携帯電話機の開状態の周波数特性が、閉状態の周波数特性と同等になるような周波数特性の調節処理を行うことにより、携帯電話機が開状態でも閉状態と同等の音圧、音質の着信メロディを出力することが出来る。
【００４７】
また、本実施例では、スピーカをキー操作部を有する筐体裏面に実装した場合について説明したが、スピーカの実装位置に応じて最適なメロディデータまたは周波数特性情報を予め用意することにより、スピーカ音孔の向きによらず、良好な音質を得ることができる。
【００４８】
次に、本発明の他の実施の形態について図８を参照して説明する。
【００４９】
図８によると、この実施の形態は、スイッチ１０、ＳＰＫ（スピーカ）用アンプ１１、イヤホン用アンプ１２、イヤホン１３およびイヤホン接続の有無を検出するイヤホン検出部１４を備えていることが図１と異なる。
【００５０】
次に、着信メロディー出力時の動作について説明する。
【００５１】
ＣＰＵ７は、図示しない基地局より携帯電話機の呼出しが行われたとき着信信号を検出する。着信信号を検出すると、着信信号より指定するメロディデータをＲＯＭ１から読み出して音源２に出力する。
【００５２】
音源２は、ＲＯＭ１から読み出されたメロディデータより、メロディ信号を形成して出力する。
【００５３】
ＣＰＵ７は、携帯電話機にイヤホンジャックが装着されているか否かをイヤホン検出部１４に問い合わせ、検出結果に基づく周波数特性情報および切り替え情報をイコライザ３およびスイッチ１０のそれぞれに通知する。
【００５４】
イコライザ３は、メロディ信号を入力し、ＣＰＵ７から通知された周波数特性情報に従って、周波数特性の調節を行う。
【００５５】
スイッチ１０は、イヤホン接続なしの時には、メロディー信号をＳＰＫ用アンプ１１を介してスピーカ６より出力し、イヤホン接続ありの時には、イヤホン用アンプ１２を介してイヤホン１３より出力する。
【００５６】
ここで、スピーカ６またはイヤホン１３より出力されるメロディ信号は、予めＲＯＭ１に少なくともスピーカ出力用およびイヤホン出力用の２種類のメロディデータを記憶すること、２種類の一方をＲＯＭ１に記憶し、他の使用状態に対応する周波数特性情報をＣＰＵ７またはイコライザ３に予め用意すること、あるいは２種類の一方をＲＯＭ１に記憶した上で使用者が状況に応じて任意に操作部８から入力したパラメータをＣＰＵ７またはイコライザ３に周波数特性情報として保存すること、により使用状態に応じて求めることができる。このようにして、携帯電話機にイヤホンジャックが装着されているか否かに係わらず同じ音質の着信メロディの出力を行うことができる。
【００５７】
【発明の効果】
以上説明したように、本発明の携帯電話機によれば、以下のような効果が得られる。
【００５８】
本発明の第１の効果は、折り畳み型の携帯電話機が開いている状態か、閉じている状態かを検出し、検出結果に基づいてスピーカの向きを考慮した周波数特性を調節することにより、携帯電話機の開状態／閉状態に係わらず最適化された音質の着信メロディを出力することができることである。
【００５９】
本発明の第２の効果は、着信メロディの出力先がスピーカか、イヤホンかを検出し、検出結果に基づいてスピーカ用とイヤホン用とを考慮した周波数特性に調節することにより、最適化された音質の着信メロディを得ることができることである。
【図面の簡単な説明】
【図１】本発明の携帯電話機の一つの実施の形態を示すブロック図である。
【図２】スピーカがキー操作部を有する筐体裏面に実装されている場合を示す図である。
【図３】開状態／閉状態の違いによる周波数特性を示す図である。
【図４】周波数５００Ｈｚにおいて、スピーカ音孔の向きに対する音圧の変化を示す図である。
【図５】周波数１ＫＨｚにおいて、スピーカ音孔の向きに対する音圧の変化を示す図である。
【図６】周波数３ＫＨｚにおいて、スピーカ音孔の向きに対する音圧の変化を示す図である。
【図７】周波数６ＫＨｚにおいて、スピーカ音孔の向きに対する音圧の変化を示す図である。
【図８】本発明の携帯電話機の他の実施の形態を示すブロック図である。
【符号の説明】
１    ＲＯＭ
２    音源
３    イコライザ
４    Ｄ／Ａコンバータ
５    アンプ
６    スピーカ
７    ＣＰＵ
８    操作部
９    開閉検出部
１０    スイッチ
１１    ＳＰＫ用アンプ
１２    イヤホン用アンプ
１３    イヤホン
１４    イヤホン検出部
【図１】
2004328343.tif 000003
【図２】
2004328343.tif 000004
【図３】
2004328343.tif 000005
【図４】
2004328343.tif 000006
【図５】
2004328343.tif 000007
【図６】
2004328343.tif 000008
【図７】
2004328343.tif 000009
【図８】
2004328343.tif 000010